(57)【要約】      （修正有）【課題】屋根上で命綱を使用する場合に、作業員の滑落などの事故時の衝撃による雨樋の損傷を防ぎ、かつ従来の足場工法よりもコストと工期のかからないリードロープの布設システムを提供する。【解決手段】家屋７の下部６にリードロープ５の一端を連結し、壁ささえ２を使用して家屋７の壁から樋９より遠く離れた所にあるリードロープ通し管１に他端を通しす。次に棟１１を挟んで反対側のリードロープ通し管１に通して家屋７の下部６に固定する。命綱１２をリードロープ５に固定しておけば、人が滑っても樋９を損傷することは無い。【選択図】図１
2013144873.tif 000002
【特許請求の範囲】
【請求項１】
低層住宅の屋根上での作業で命綱１２を固定する為のリードロープ５の布設について、家屋の下部６にリードロープ５の一端を連結して、その他端を、リードロープ通し管１を有する支柱３（以下アンカー支柱とする）のリードロープ通し管１に通して、棟１１をはさんで反対側に設置した前記のアンカー支柱のリードロープ通し管１を通り、反対側の家屋の下部６にリードロープ５の他端を連結してリードロープを布設するシステムで、前記の壁ささえ２は、家屋７の壁から屋根に取り付けた雨樋９よりも長いものを数か所取り付けるとともに、支柱高さ調節管４をともなうことを特徴とする屋根上で命綱を固定するためのリードロープの布設システム。
【請求項２】
請求項１のアンカー支柱の数箇所の壁ささえ２は、支柱３もしくは支柱高さ調節管４の取付け位置から上下左右に、高さと長さが調節でき、かつ、支柱高さ調節管４によって、支柱３自体の高さ調節ができる構造を特徴とする屋根上で命綱を固定するためのリードロープの布設システム。
【請求項３】
請求項１の数箇所の壁ささえ２のもっとも下段の壁ささえ２は、家屋の下部６と連結できる構造であることを特徴とする屋根上で命綱を固定するためのリードロープの布設システム。
【請求項４】
棟１１をはさんで請求項１のアンカー支柱を互いにリードロープ５で連結した構造体を軒側に２組以上配置して軒桁１０で連結することで、軒方向に対して水平方向へ倒れない構造とすることを特徴とする屋根上で命綱を固定するためのリードロープの布設システム。
【発明の詳細な説明】
【技術分野】
【０００１】
本発明は、低層住宅において屋根上での作業で使う命綱１２を固定する為のリードロープ５の布設において、作業員が滑落した時のリードロープ５の緊張により、雨樋９が損傷しない構造となっていて、かつ、このシステムの設置と撤去が、簡易でありかつ安全にできるものである。
【背景技術】
【０００２】
屋根上での作業時の命綱１２を固定するものしては足場材を組み上げる方法があるが、低層住宅の場合、足場自体を固定する壁つなぎの設置がむずかしく、足場の倒壊を防ぐために家屋の周囲を囲まなければならない。命綱を固定するためだけならば家屋の周囲を囲む足場はいらない。
【０００３】
軒に命綱１２のアンカーとなる構造物をはめ込むという方法として特許文献１や特許文献２があるが、作業員の墜落時の衝撃でこの構造物が移動して、雨樋９が損傷する恐れがあり、また、この構造物を設置する際の作業員の安全確保に問題がある。
【先行技術文献】
【特許文献】
【０００４】
【特許文献１】特開平１０−１４６３９７号公報
【特許文献２】特開２００５−１１３３９０号公報
【発明の概要】
【発明が解決しようとする課題】
【０００５】
作業員が滑落した場合の衝撃荷重に、命綱１２とつながるリードロープ５の引張り強度が十分に確保されること。
【０００６】
作業員が滑落時した場合の衝撃荷重で、雨樋９が損傷しないこと。
【０００７】
リードロープ５の布設システムを構成する構造物が倒壊しないこと。
【０００８】
リードロープ５の布設システムを構成する構造物の設置と撤去が、簡易であり安全にできること。
【課題を解決するための手段】
【０００９】
本発明のリードロープ布設システムは、低層住宅の屋根上での作業で命綱１２を固定する為のリードロープ５の布設について、家屋の下部６にリードロープ５の一端を連結し、その他端を、リードロープ通し管１を有する支柱３（以下アンカー支柱とする）の、リードロープ通し管１を通して、棟１１をはさんで反対側に設置した前記のアンカー支柱のリードロープ通し管１を通り、反対側の家屋の下部６にリードロープ５の他端を連結してリードロープを布設する構造で、前記の壁ささえ２は、家屋７の壁から屋根に取り付けた雨樋９よりも長いものを数か所を取り付けるとともに、支柱高さ調節管４をともなうことを特徴とするシステムであり、アンカー支柱の数箇所の壁ささえ２は、支柱３もしくは支柱高さ調節管４の取付け位置から上下左右に、高さと長さが調節でき、かつ、支柱高さ調節管４によって、支柱３自体の高さ調節ができることが好ましく、数箇所の壁ささえ２のもっとも下段の壁ささえ２は、家屋の下部６と連結できる構造でもよい。
【００１０】
棟をはさんで[請求項１]のアンカー支柱を互いにリードロープ５で連結した構造体を軒側に２組以上配置して軒桁１０で連結することで、軒方向に対して水平方向へ倒れない構造とすることもできて、アンカー支柱が最低４本あれば構成できる構造体であり、リードロープ５と軒桁１０で連結されることで構造物自体は安定していて、その設置と撤去は簡易でありかつ安全であることが望ましい
【発明の効果】
【００１１】
[請求項１]のアンカー支柱を[請求項２]のように連結した構造体は設置と撤去が簡易であり、かつ安全に組み上げることができ、屋根上に、棟１１をはさんで連結されたリードロープ５が布設できる。このリードロープ５上につなげた命綱をつけた作業員が滑落した時に、リードロープ５の衝撃荷重が、連結されている家屋の下部６で受ける構造によりロープの引張り強度を確保し、かつ、リードロープ通し管１にリードロープ５を通すことで、家屋７の側壁と当接された壁ささえ２により、雨樋９が保護されて損傷しない。
【図面の簡単な説明】
【００１２】
【図１】請求項１のアンカー支柱取付けの妻側からの取付け全体図
【図２】請求項１のアンカー支柱取付けの桁側からの取付け全体図
【図３】請求項１のアンカー支柱単体
【図４】屋根上のリードロープ５と命綱１２の取付け位置の関係図
【発明を実施するための形態】
【００１３】
棟１１をはさんで、[請求項１]の両アンカー支柱をリードロープ連結し[請求項２]のように連結した構造物を2組以上軒側に配置して軒桁で連結し、布設した屋根上のリードロープ５上から命綱をつないで作業員の安全を確保する。
【実施例】
【００１４】
単管パイプとクランプを使って図面３のアンカー支柱単体を組み上げる。
【００１５】
家屋の下部６にはあと施工アンカーを埋め込み、もっとも下段の壁ささえ２は、このあと施工アンカーと既製の壁つなぎを連結して固定し、クランプを介してリードロープ５を連結する。
【００１６】
家屋の下部６と連結したリードロープ５を、アンカー支柱のリードロープ通し管１を通しておいて、リードロープ５の他端を作業員の安全帯と連結して、梯子等を利用して作業員１４と共に屋根上に上げる。
【００１７】
屋根上の作業員は棟１１を越えて反対側の屋根面に位置してリードロープを引き上げ、地上の作業員と協力してアンカーを立ち上げて支柱高さ調節管４と連結する。
【００１８】
今度は反対側のアンカー支柱を立ち上げてリードロープ５を連結する。この場合に、作業員はリードロープ５が命綱１２となっているので安全は確保されている。
【００１９】
この作業を繰り返して[請求項２]の構造物を完成させて屋根上にリードロープ５を布設する。
【産業上の利用可能性】
【００２０】
本発明は、屋根の塗装や、屋根の修繕、雪下し作業、太陽光パネルの設置等で利用される。
【符号の説明】
【００２１】
１    リードロープ通し管
２    壁ささえ
３    支柱
４    支柱高さ調節管    
５    リードロープ
６    家屋の下部（あと施工アンカー）
７    家屋
８    土台
９    雨樋
１０  軒桁
１１  棟
１２  命綱
【図１】
2013144873.tif 000003
【図２】
2013144873.tif 000004
【図３】
2013144873.tif 000005
【図４】
2013144873.tif 000006